(57)【要約】【課題】外部給紙装置から給紙される用紙のサイズと画像形成装置から搬送される用紙のサイズとが異なる場合に用紙の処理を行うことによる不具合を生じにくくすることにある。【解決手段】画像形成装置本体２からの第１用紙と外部給紙装置３からの第２用紙とを処理するシート後処理装置４の動作制御装置５であって、第１用紙サイズ検出手段５１と、第２用紙サイズ検出手段５２と、用紙サイズ判断手段５３と、後処理動作制御手段５４とを備えている。第１用紙サイズ検出手段５１は、画像形成装置本体２からの第１用紙のサイズを検出する。第２用紙サイズ検出手段５２は、外部給紙装置３からの第２用紙のサイズを検出する。用紙サイズ判断手段５３は、両用紙サイズ検出手段で検出された用紙サイズが同じか否かを判断する。後処理動作制御手段５４は、用紙サイズ判断手段５３の判断結果に応じてシート後処理装置４での後処理動作を制御する。【選択図】図１
2008184320.tif 000002
【特許請求の範囲】
【請求項１】
画像形成装置本体からの第１用紙と外部給紙装置からの第２用紙とを処理する用紙後処理装置の動作制御装置であって、
前記画像形成装置本体からの第１用紙のサイズを検出する第１用紙サイズ検出手段と、
前記外部給紙装置からの第２用紙のサイズを検出する第２用紙サイズ検出手段と、
前記両用紙サイズ検出手段で検出された用紙サイズが同じか否かを判断する用紙サイズ判断手段と、
前記用紙サイズ判断手段の判断結果に応じて前記用紙後処理装置での後処理動作を制御する後処理動作制御手段と、
を備えた用紙後処理装置の動作制御装置。
【請求項２】
前記用紙後処理動作制御手段は、前記第１用紙サイズと第２用紙サイズとが異なる場合に、後処理動作を行わずに用紙を排出するように前記用紙後処理装置を制御する、
請求項１に記載の用紙後処理装置の動作制御装置。
【請求項３】
前記第１及び第２用紙サイズ検出手段はそれぞれ第１及び第２用紙の少なくとも幅方向のサイズを検出する手段を含むものであり、
前記用紙後処理動作は、用紙の幅合わせ動作を含んでおり、
前記用紙後処理動作制御手段は、前記両用紙の幅方向のサイズが異なる場合に用紙の幅合わせ処理が行われないように前記用紙後処理装置を制御する、
請求項２に記載の用紙後処理装置の動作制御装置。
【請求項４】
前記第１及び第２用紙サイズ検出手段はそれぞれ第１及び第２用紙の少なくとも幅方向のサイズを検出するものであり、
前記用紙後処理動作制御手段は、前記両用紙の幅方向のサイズが異なる場合に大きいサイズの用紙幅に合わせて幅合わせ処理が行われるように前記用紙後処理装置を制御する、
請求項２に記載の用紙後処理装置の動作制御装置。
【請求項５】
前記第１及び第２用紙サイズ検出手段はそれぞれ第１及び第２用紙の少なくとも幅方向のサイズを検出するものであり、
前記用紙後処理動作制御手段は、前記両用紙の幅方向のサイズが異なる場合に用紙の綴じ処理が行われないように前記用紙後処理装置を制御する、
請求項２に記載の用紙後処理装置の動作制御装置。
【請求項６】
前記第２用紙サイズ検出手段は、用紙の幅を検出する用紙幅検出手段と、用紙の長さを検出する用紙長さ検出手段と、を有する、
請求項１から５のいずれかに記載の用紙後処理装置の動作制御装置。
【請求項７】
前記用紙長さ検出手段は、第２用紙が載置される載置トレイに設けられ用紙の有無により用紙長さを検出する用紙検知センサと、第２用紙が搬送される用紙搬送路に設けられた搬送センサを含み第２用紙の搬送時間を検知する搬送時間検知手段と、を有する、
請求項６に記載の用紙後処理装置の動作制御装置。
【請求項８】
前記用紙後処理動作制御手段は、前記両用紙のサイズが異なる場合に、複数の用紙束に対する繰り返し処理において、最初の用紙束を後処理せずに排出した後にユーザーに前記用紙の処理動作を継続するか否かを確認する継続確認手段を有する、
請求項１から７のいずれかに記載の用紙後処理装置の動作制御装置。
【請求項９】
前記両用紙のサイズが異なると判断された場合に、前記外部給紙装置からの用紙の搬送を停止させる停止手段と、
前記停止手段によって用紙の搬送が停止させられている際に、前記停止手段による停止を解除するか否かをユーザーに判断させる停止判断手段と、をさらに備えた、
請求項１から８のいずれかに記載の用紙後処理装置の動作制御装置。
【請求項１０】
画像形成装置本体からの第１用紙と外部給紙装置からの第２用紙とを処理する用紙後処理装置であって、
前記第１及び第２用紙に対して後処理を施す後処理機構と、
排出された用紙を載置する排出トレイと、
請求項１から９のいずれかに記載の動作制御装置と、
を備えた用紙後処理装置。
【請求項１１】
第１用紙に対して画像を形成する画像形成装置本体と、
前記画像形成装置本体とは別に設けられ、第２用紙を外部から供給するための外部給紙装置と、
請求項１０に記載の用紙後処理装置と、
を備えた画像形成装置。
【発明の詳細な説明】
【技術分野】
【０００１】
本発明は、用紙後処理装置の動作制御装置、用紙後処理装置及び画像形成装置、特に、画像形成装置本体からの第１用紙と外部給紙装置からの第２用紙とを処理する用紙後処理装置の動作制御装置に関する。
【０００２】
また、本発明は、以上の動作制御装置を備えた用紙後処理装置及び画像形成装置に関する。
【背景技術】
【０００３】
画像形成装置本体には、用紙の排出側において、外部から給紙を行うための外部給紙装置と、画像形成装置本体によって印字した用紙にステイプル処理などをするための用紙後処理装置とが接続されている場合がある。
【０００４】
このような画像形成装置では、１つの使用例として、画像形成装置で印字した用紙が用紙後処理装置に搬送されるとともに、外部給紙装置から所定のタイミングで用紙が用紙後処理装置に搬送されるようになっている。そして、用紙後処理装置の内部でステイプル処理などを行うために用紙の幅合わせ処理により用紙の幅合わせが行われた後にステイプル処理などがなされる。ステイプル処理などがなされた後に用紙が用紙処理装置の外部に排出される（特許文献１参照）。
【特許文献１】特開２００１−２６３４３号公報
【発明の開示】
【発明が解決しようとする課題】
【０００５】
特許文献１に記載の用紙処理装置では、外部給紙装置から給紙される用紙のサイズと画像形成装置本体から搬送される用紙のサイズとが異なる場合がある。このような場合には、用紙後処理装置において用紙の処理を行うと、ユーザーの望む用紙の処理とは異なる処理がなされる場合がある。例えば、用紙の幅サイズが異なる用紙が混在しているような場合に用紙の幅合わせを行うと、用紙に折れ等の不具合が発生する可能性があり、またステイプル処理の際には、用紙の位置決めが正確になされていないためにステイプル処理する場所がユーザーの設定と異なる可能性がある。特に外部給紙装置からユーザーが用紙を給紙する場合は、用紙が不定形サイズであることを気付かない可能性が高く、これによる不具合の発生する確率が高くなる。
【０００６】
本発明の課題は、外部給紙装置から給紙される用紙のサイズと画像形成装置から搬送される用紙のサイズとが異なる場合に用紙の処理を行うことによる不具合を生じにくくすることにある。
【課題を解決するための手段】
【０００７】
請求項１に係る用紙後処理装置の動作制御装置は、画像形成装置本体からの第１用紙と外部給紙装置からの第２用紙とを処理する用紙後処理装置の動作制御装置であって、第１用紙サイズ検出手段と、第２用紙サイズ検出手段と、用紙サイズ判断手段と、後処理動作制御手段とを備えている。第１用紙サイズ検出手段は、画像形成装置本体からの第１用紙のサイズを検出する。第２用紙サイズ検出手段は、外部給紙装置からの第２用紙のサイズを検出する。用紙サイズ判断手段は、両用紙サイズ検出手段で検出された用紙サイズが同じか否かを判断する。後処理動作制御手段は、用紙サイズ判断手段の判断結果に応じて用紙後処理装置での後処理動作を制御する。
【０００８】
この用紙処理装置の動作制御装置では、画像形成装置本体からの第１用紙のサイズが検出されるとともに外部給紙装置からの第２用紙のサイズが検出され、両用紙サイズが同じか否か判断される。そして、その判断結果に応じて用紙後処理装置での後処理動作が制御される。
【０００９】
ここでは、外部給紙装置からの第２用紙のサイズと、画像形成装置からの第１用紙のサイズとが異なる場合には用紙後処理装置での後処理動作が制御されるために不具合が生じにくくなる。
【００１０】
請求項２に係る用紙後処理装置の動作制御装置は、請求項１に記載の用紙後処理装置の動作制御装置であって、用紙後処理動作制御手段は、第１用紙サイズと第２用紙サイズとが異なる場合に、後処理動作を行わずに用紙を排出するように用紙後処理装置を制御する。
【００１１】
ここでは、外部給紙装置からの第２用紙のサイズと、画像形成装置からの第１用紙のサイズとが異なる場合には後処理動作が行われないために不具合が生じない。
【００１２】
請求項３に係る用紙後処理装置の動作制御装置は、請求項２に記載の用紙後処理装置の動作制御装置であって、第１及び第２用紙サイズ検出手段はそれぞれ第１及び第２用紙の少なくとも幅方向のサイズを検出する手段を含むものであり、用紙後処理動作は、用紙の幅合わせ動作を含んでおり、用紙後処理動作制御手段は、両用紙の幅方向のサイズが異なる場合に用紙の幅合わせ処理が行われないように用紙後処理装置を制御する。
【００１３】
ここでは、第１及び第２用紙の幅方向のサイズが異なる場合に用紙の幅合わせ処理が行われないために幅合わせによる用紙の折れ等を防止できる。
【００１４】
請求項４に係る用紙後処理装置の動作制御装置は、請求項２に記載の用紙後処理装置の動作制御装置であって、第１及び第２用紙サイズ検出手段はそれぞれ第１及び第２用紙の少なくとも幅方向のサイズを検出するものであり、用紙後処理動作制御手段は、両用紙の幅方向のサイズが異なる場合に大きいサイズの用紙幅に合わせて幅合わせ処理が行われるように用紙後処理装置を制御する。
【００１５】
ここでは、第１用紙及び第２用紙の幅方向のサイズが異なる場合に大きいサイズの用紙幅に合わせて幅合わせ処理が行われるために幅合わせの際に用紙の折れ等を防止できる。
【００１６】
請求項５に係る用紙後処理装置の動作制御装置は、請求項２に記載の用紙後処理装置の動作制御装置であって、第１及び第２用紙サイズ検出手段はそれぞれ第１及び第２用紙の少なくとも幅方向のサイズを検出するものであり、用紙後処理動作制御手段は、両用紙の幅方向のサイズが異なる場合に用紙の綴じ処理が行われないように用紙後処理装置を制御する。
【００１７】
ここでは、第１用紙及び第２用紙の幅方向のサイズが異なる場合に用紙の綴じ処理が行われないためにユーザーの設定と異なる位置に綴じ処理を行う等の不具合が生じない。
【００１８】
請求項６に係る用紙後処理装置の動作制御装置は、請求項１から５のいずれかに記載の用紙後処理装置の動作制御装置であって、第２用紙サイズ検出手段は、用紙の幅を検出する用紙幅検出手段と、用紙の長さを検出する用紙長さ検出手段と、を有する。
【００１９】
ここでは、用紙の幅が同じであるが、長さの異なる用紙のサイズを検知することができる。このために、長さ方向の用紙の整合動作の際に用紙を折り曲げにくくなる。
【００２０】
請求項７に係る用紙後処理装置の動作制御装置は、請求項６に記載の用紙後処理装置の動作制御装置であって、用紙長さ検出手段は、第２用紙が載置される載置トレイに設けられ用紙の有無により用紙長さを検出する用紙検知センサと、第２用紙が搬送される用紙搬送路に設けられた搬送センサを含み第２用紙の搬送時間を検知する搬送時間検知手段と、を有する。
【００２１】
ここでは、用紙のサイズが定形である場合に用紙検知センサによって用紙のサイズを検出することができ、用紙のサイズが定形ではない場合であっても搬送時間検知手段によって搬送方向長さを検出することができる。
【００２２】
請求項８に係る用紙後処理装置の動作制御装置は、請求項１から７のいずれかに記載の用紙後処理装置の動作制御装置であって、用紙後処理動作制御手段は、両用紙のサイズが異なる場合に、複数の用紙束に対する繰り返し処理において、最初の用紙束を後処理せずに排出した後にユーザーに用紙の処理動作を継続するか否かを確認する継続確認手段を有する。
【００２３】
ここでは、ユーザーの意志によって用紙の処理動作を継続するかを決めることができる。
【００２４】
請求項９に係る用紙後処理装置の動作制御装置は、請求項１から８のいずれかに記載の用紙後処理装置の動作制御装置であって、両用紙のサイズが異なると判断された場合に、外部給紙装置からの用紙の搬送を停止させる停止手段と、停止手段によって用紙の搬送が停止させられている際に、停止手段による停止を解除するか否かをユーザーに判断させる停止判断手段と、をさらに備えている。
【００２５】
ここでは、画像形成装置から搬送される用紙のみを用紙処理することと、画像形成装置から搬送される用紙に外部給紙装置によって給紙される用紙を加えた用紙を用紙処理することとをユーザーが選択することができる。
【００２６】
請求項１０に係る用紙後処理装置は、画像形成装置本体からの第１用紙と外部給紙装置からの第２用紙とを処理する用紙後処理装置であって、第１及び第２用紙に対して後処理を施す後処理機構と、排出された用紙を載置する排出トレイと、請求項１から９のいずれかに記載の動作制御装置と、を備えている。
【００２７】
請求項１１に係る画像形成装置は、第１用紙に対して画像を形成する画像形成装置本体と、画像形成装置本体とは別に設けられ、第２用紙を外部から供給するための外部給紙装置と、請求項１０に記載の用紙後処理装置と、を備えている。
【発明の効果】
【００２８】
本発明では、外部給紙装置から給紙される用紙のサイズと画像形成装置から搬送される用紙のサイズとが異なる場合に用紙の処理を行うことによる不具合を生じにくくすることができる。
【発明を実施するための最良の形態】
【００２９】
（構成）
図１に本発明の一実施形態が採用された画像形成装置１の概略図を示す。画像形成装置１は、複合機などの画像形成装置本体２と、外部給紙装置３と、シート後処理装置４と、シート後処理装置４の動作制御装置５（図４参照）とを備えている。
【００３０】
画像形成装置本体２では外部から送られた又は原稿読取部によって読みとられた画像データに基づく画像が記録用紙などの第１用紙に印刷され側部から排出される。
【００３１】
外部給紙装置３は、画像形成装置本体２によって画像が印字された複数の第１用紙の間に所定のタイミングで第２用紙を挿入するための装置であって、画像形成装置本体２の側方に配置されている。また、外部給紙装置３は、給紙トレイ３１と、反転トレイ３２と、第１用紙搬送部３３と、第１用紙排出部３４と、を備えている。給紙トレイ３１は、シート後処理装置４に搬送する第２用紙を載置する部材であって、板状の部材である。反転トレイ３２は、給紙トレイ３１の下側に配置されており、板状の部材である。また、反転トレイ３２は、第２用紙を第１用紙搬送部３３に搬送する前に反転させるためのトレイである。第１用紙搬送部３３は、給紙トレイ３１に載置された第２用紙と画像形成装置本体２から搬送された第１用紙とを第１用紙排出部３４に搬送するための部分であって、複数のローラ３３１と、搬送路とを有している。第１用紙排出部３４は、第１用紙搬送部３３によって搬送された第１用紙及び第２用紙を外部給紙装置３の外部に排出する為の部分である。
【００３２】
シート後処理装置４は、図１又は図２に示すように、画像形成装置本体２から搬送された第１用紙の後処理を行うものであって、第１用紙及び第２用紙が通過可能な用紙通過口を有する箱状の外枠４１と、用紙にステイプル処理を施すステイプル処理部４２と、用紙通過口を通過した第１用紙及び第２用紙をステイプル処理部４２に搬送する第２用紙搬送部４３と、第１用紙及び第２用紙が排出される第２用紙排出部４４とを備えている。
【００３３】
外枠４１は、樹脂によって形成された箱状の部材であって、図１及び図２に示すように、第１シート積載トレイ４１１と、第２シート積載トレイ４１２とを備えている。第１シート積載トレイ４１１は、用紙を積載するための部分であって、外枠４１の外壁に対して傾けて取り付けられている板状の部材である。また、第２シート積載トレイ４１２は、後処理がなされた用紙を積載するための部分であって、第１シート積載トレイ４１１の下側に配置されている。
【００３４】
ステイプル処理部４２は、画像形成装置本体２から排出された用紙の先端部をそろえるためのスタック部４２１と、スタック部４２１に積み重ねられた用紙を綴じるステイプル処理部４２２と、を有する。
【００３５】
スタック部４２１は、図３に示すように、枠体４２１ａと、第１無端ベルト４２１ｂと、第２無端ベルト４２１ｃと、第１中央支持部材４２１ｄと、第２中央支持部材４２１ｅと、両端位置決め部４２１ｆとを有している。枠体４２１ａは、第１無端ベルト４２１ｂや第２無端ベルト４２１ｃ等を支持する部分であって、板状の部材である。また、枠体４２１ａには枠体４２１ａの端部に対向して配置された一対の板状部材４２１ｉが配置されている。第１無端ベルト４２１ｂは、枠体４２１ａ上に設けられた部材であって、枠体４２１ａの一端と他端との間に掛け渡された部材である。第２無端ベルト４２１ｃは、第１無端ベルト４２１ｂに近接して設けられた部材であって、第１無端ベルト４２１ｂに平行に配置されている。第１中央支持部材４２１ｄは、用紙の先端中央部を受け止めて第１用紙及び第２用紙を所定の位置に位置決めし、後処理動作後に第２用紙排出部４４に向けて用紙束を搬送する部分であって、フック状の部材である。また、第１中央支持部材４２１ｄは、第１無端ベルト４２１ｂに取り付けられている。第２中央支持部材４２１ｅは、第１中央支持部材４２１ｄとともに用紙の長さ方向（用紙搬送方向）の幅寄せを行うための部分であって、第１中央支持部材４２１ｄに対向して設けられたフック状の部材である。また、第２中央支持部材４２１ｅは、第２無端ベルト４２１ｃに取り付けられている。両端位置決め部４２１ｆは、用紙の幅方向端部を位置決めする部分であって、枠体４２１ａに設けられた部材である。また、両端位置決め部４２１ｆは、用紙が載置される部分であって、ガイド棒４２１ｇと、一対のガイド部材４２１ｈとを有している。ガイド棒４２１ｇは、両端が一対の板状部材４２１ｉに固定されており、第１無端ベルト４２１ｂが掛け渡されている方向に対して直交する方向に配置されている。ガイド部材４２１ｈは、ガイド棒４２１ｇに沿って移動可能な部材であって、第１無端ベルト４２１ｂに平行に設けられている。また、ガイド部材４２１ｈは、枠体４２１ａに平行であり用紙が載置される平面部分４２１ｊと、枠体４２１ａに対して略直交するように配置された部分４２１ｋと、平面部分４２１ｊに平行に配置され、平面部分４２１ｊに載置された用紙を支持する用紙支持部分４２１ｍとを備えている。ステイプル処理部４２２は、枠体４２１ａに載置された用紙の端部をステイプル処理するための部分であって、ステイプルの針が設置されているステイプルヘッドと、ステイプルの針を受けるステイプルクリンチとを有している。また、ステイプル処理部４２２は、枠体４２１ａの一端、具体的には第１無端ベルト４２１ｂの一端側に配置されている。
【００３６】
第２用紙搬送部４３は、第１用紙及び第２用紙をステイプル処理部４２に搬送するための部分であって、複数の搬送ローラ４３１と、大径ローラ４３２と、シート待機部４３３とを備えている。複数の搬送ローラ４３１は第１用紙及び第２用紙を搬送するための部材である。大径ローラ４３２は、ステイプル処理部４２２側に搬送する前に用紙を一時的に待機させるための部分であって、ステイプル処理部４２２の上側に配置されている。シート待機部４３３は、一時的に用紙を待機させるための部分であって、ステイプル処理部４２２の近傍に配置されている。
【００３７】
第２用紙排出部４４は、スタック部４２１からの用紙を第２シート積載トレイ４１２に排出するとともにスタック部４２１を経由しない用紙を第１シート積載トレイ４１に排出するための部分であって、用紙排出用のローラや用紙排出口を有している。
【００３８】
動作制御装置５は、プログラムを実行することで、図４に示すように、第１用紙サイズ検出手段５１と、第２用紙サイズ検出手段５２と、用紙サイズ判断手段５３と、後処理動作制御手段５４と、停止手段５５と、停止判断手段５６と、継続確認手段５７として機能する。
【００３９】
第１用紙サイズ検出手段５１は、第１用紙のサイズを検出する手段である。例えば、画像形成装置本体２において印字命令がなされる場合には、印字命令の際に指定された用紙のサイズを検出する、すなわち画像形成装置本体２で設定された用紙サイズの条件又は外部に接続されたコンピュータなどから送信された用紙サイズから第１用紙のサイズを検出する。
【００４０】
第２用紙サイズ検出手段５２は、外部給紙装置３から搬送される第２用紙のサイズを検出する手段であって、給紙トレイ３１及び反転トレイ３２に設けられた複数の第１センサ３５と、第１用紙搬送部３３に配置された第２センサ３６とを有している。第１センサ３５は第１給紙トレイ３１の用紙のサイズに合わせた位置にそれぞれ配置されている。また、第２センサ３６によって用紙の搬送方向長さを検出する場合には、外部給紙装置３の第１用紙搬送部３３に配置された第２センサ３６によって用紙の幅を検出し、用紙が通過する時間から用紙の搬送方向長さを検出する。
【００４１】
用紙サイズ判断手段５３は、画像形成装置本体２から搬送される第１用紙のサイズと、第２用紙サイズ検出手段５２によって検出した第２用紙のサイズとが同じか否かを判断する手段である。具体的には、画像形成装置本体２から搬送される用紙のサイズは、定型のサイズとして検知され、外部給紙装置３で第１センサ３５によって定型サイズとして検知する。その後、両者のサイズの相違を判断する。そして、第２センサ３６によって実際の用紙のサイズを検出する（幅方向長さは幅合せ部材の位置と連動した摺動抵抗より検出し、長さ方向は第１用紙搬送部３３に設けられた第２センサ３６により搬送時間から換算する）。この検出結果と画像形成装置本体２及び第１センサ３５によって検出された定型サイズとの相違が判断される。なお、画像形成装置本体２においてもセンサによって実際に用紙のサイズを検出するようにしても良い。
【００４２】
後処理動作制御手段５４は、用紙サイズ判断手段５３の判断結果に応じてシート後処理装置４での後処理動作を制御する。具体的には、第１用紙の幅方向のサイズと第２用紙の幅方向のサイズとが異なる場合に大きいサイズの用紙幅に合わせて幅合わせ処理が行われるようにシート後処理装置４のガイド部材４２１ｈの移動を制御する。例えば第１用紙サイズ検出手段によって検出されたサイズがＡ４であって、第２用紙サイズ検出手段５２によって検出された第２用紙の幅方向サイズがＡ３である場合には、Ａ３サイズとして幅合わせを行う。
【００４３】
停止手段５５は、用紙サイズ判断手段５３によって、第１用紙のサイズと、第２用紙サイズとが異なると判断された場合に、第２用紙搬送部４３による用紙の搬送を一時的に停止させる。
【００４４】
停止判断手段５６は、停止手段５５によって一時的に停止させられている際に、停止手段５５による停止を解除するか否かをユーザーに判断させる。具体的には、ユーザーが操作している画像形成装置２の表示パネルによって解除するか否かの判断をさせる。
【００４５】
継続確認手段５７は、第１用紙と第２用紙とのサイズが異なる場合に、用紙を排出した後にユーザーに用紙の処理動作を継続するか否かを確認する。
【００４６】
（動作）
画像形成装置本体２の印字動作が終了すると、画像が印字された第１用紙が外部給紙装置３を通ってシート後処理装置４に搬送される。このとき同時に外部給紙装置３から第２用紙が所定のタイミングでシート後処理装置４に搬送され、ステイプル処理部４２２のトレイ４２１ａ上に積載される。ここで、画像形成装置本体２から搬送される第１用紙のサイズが検出されると共に、外部給紙装置３から搬送される第２用紙のサイズが検出される（Ｓ１）。そして、画像形成装置本体２で画像が印字された第１用紙のサイズと外部給紙装置３から給紙される第２用紙のサイズとが同じか否かが判断される（Ｓ２）。画像形成装置本体２で画像が印字された第１用紙のサイズと外部給紙装置３から給紙される第２用紙のサイズとが同じである場合（Ｓ２のＹＥＳ）にはトレイ４２１ａに載置された用紙の幅合わせ動作が行われる（Ｓ３）。そして、ステイプル処理の指示がなされている場合にはステイプル処理がなされた後、用紙が排出される（Ｓ４）。一方、画像形成装置本体２で画像が印字された第１用紙のサイズと外部給紙装置３から給紙される第２用紙のサイズとが異なる場合（Ｓ２のＮＯ）には、第１用紙及び第２用紙を排出した後に第２用紙搬送部４３による第１用紙及び第２用紙の搬送を一時停止させる（Ｓ５）。第１用紙及び第２用紙の搬送を一時的に停止させた状態で画像形成装置本体２の操作パネルにおいて用紙搬送動作の停止を解除するかをユーザーに選択させる（Ｓ６）。用紙搬送動作の停止を解除しない場合（Ｓ６のＮＯ）には、用紙搬送動作の停止を解除するまで待機する。一方、用紙搬送動作の停止を解除する場合（Ｓ６のＹＥＳ）には、用紙の搬送動作が再開され（Ｓ７）、第１用紙の幅方向のサイズと第２用紙の幅方向のサイズの内の大きい方のサイズに合わせて幅合わせ動作を行う（Ｓ８）。そして、ステイプル処理の指示がなされている場合にはステイプル処理を行った後、用紙が排出される（Ｓ９）。第１用紙と第２用紙とを排出した後に用紙の後処理を継続するか否かを操作パネルにおいてユーザーに選択させる（Ｓ１０）。
【００４７】
ここでは、画像形成装置本体２で画像が印字された第１用紙のサイズと外部給紙装置３から給紙される第２用紙のサイズとが異なる場合には、第１用紙の幅方向のサイズと第２用紙の幅方向のサイズの大きい方に合わせて幅合わせ動作が行われるために、幅合わせの際に用紙に折れ等が生じにくくなる。また、第１用紙及び第２用紙の幅合わせを行った後に第１用紙及び第２用紙の後処理を行うために、用紙の後処理を行うことによる不具合を生じにくくすることができる。さらに、第１用紙及び第２用紙を排出した後にユーザーが後処理動作を継続するかどうかを判断するために、ユーザーの希望する後処理を行いやすくなる。
【００４８】
（他の実施形態）
（ａ）上記実施形態では、用紙の用紙搬送方向と幅方向のサイズを検出したが、本発明はこれに限られずに、他の方向、例えば対向する一対の角の間のサイズを検出しても良い。
【００４９】
（ｂ）また、上記実施形態では、用紙の処理動作制御装置５はシート処理装置４内に配置したが、本発明はこれに限られずに、画像形成装置本体２内に配置しても良い。
【００５０】
（ｃ）上記実施形態では、画像形成装置本体２から搬送された第１用紙の幅方向サイズと外部給紙装置３から給紙された第２用紙の幅方向サイズとが異なる場合に、幅方向サイズの大きい方に合わせて幅合わせを行ったが、本発明はこれに限られずに、第１用紙の幅方向サイズと第２用紙の幅方向サイズとが異なる場合には、幅合わせを行わないようにしても良い。
【図面の簡単な説明】
【００５１】
【図１】画像形成装置本体及びシート処理装置の概略を示す図。
【図２】画像形成装置の全体体断面図。
【図３】ステイプル処理部のトレイ等を示す図。
【図４】制御部を示すブロック図。
【図５】動作を示すフローチャート。
【符号の説明】
【００５２】
１  シート処理装置
２  画像形成装置本体
３  外部給紙装置
４  シート後処理装置
５  動作制御装置
３５  第１センサ
３６  第２センサ
５１  第１用紙サイズ検出手段
５２  第２用紙サイズ検出手段
５３  用紙サイズ判断手段
５４  用紙処理動作規制手段
５５  停止手段
５６  停止判断手段
５７  継続確認手段
【図１】
2008184320.tif 000003
【図２】
2008184320.tif 000004
【図３】
2008184320.tif 000005
【図４】
2008184320.tif 000006
【図５】
2008184320.tif 000007